(57)【要約】【課題】記憶装置を保持する液体収容体に市販の液体容器体を用いることが可能な液体収容容器を提供すること。【解決手段】本発明のインク収容容器（液体収容容器）１は、インクを収容するインク収容体（液体収容体）２と、インク収容体２に形成されたインク出入口２ａに着脱される蓋体３と、電子データを記憶可能な記憶装置５を保持する保持部材７を有する。保持部材７は、インク収容体２と蓋体３の間に一部分を位置させてインク収容体２および蓋体３に係止されている。記憶装置５を保持部材７に保持させ、この保持部材７をインク収容体２および蓋体３に係止しているので、インク収容体２に特別の形状を設けることなく、市販されているインク収容体２に記憶装置５を支持させることができる。また、インク収容体２からの記憶装置５の取り外しも容易である。【選択図】図２
2014169115.tif 000002
【特許請求の範囲】
【請求項１】
液体を収容する液体収容体と、
前記液体収容体に形成された第１開口に着脱される蓋体と、
電子データを記憶可能な記憶媒体を保持する保持部材と、を有し、
前記保持部材は、前記液体収容体と前記蓋体の間に一部分を位置させて当該液体収容体および当該蓋体に係止されていることを特徴とする液体収容容器。
【請求項２】
請求項１において、
前記保持部材は、前記記憶媒体を包む保持部を備え、
前記保持部には、前記記憶媒体を外部から目視可能とする第２開口が形成されていることを特徴とする液体収容容器。
【請求項３】
請求項２において、
前記第２開口は、前記蓋体の側を向いていることを特徴とする液体収容容器。
【請求項４】
請求項２または３において、
前記保持部は、前記液体収容体と前記蓋体の間に位置してないことを特徴とする液体収容容器。
【請求項５】
請求項１ないし４のうちのいずれかの項において、
前記液体収容体は、上面の縁部分に下方に窪む段部を備えており、
前記段部の底面には、中心孔が前記第１開口となっている筒部が設けられており、
前記蓋体は、前記筒部に被せられて前記第１開口を閉状態とし、
前記保持部材は、前記段部の内側に収納されていることを特徴とする液体収容容器。
【請求項６】
請求項５において、
前記保持部材は、前記段部の側面に当接して当該保持部材の前記筒部回りの回転を規制する規制部を備えていることを特徴とする液体収容容器。
【請求項７】
請求項５または６において、
前記液体収容体は、前記上面の前記段部とは異なる位置に把持部を備え、
前記保持部材は、前記把持部と前記第１開口とを結ぶ仮想線分および当該仮想線分を延長した仮想線から外れた位置に前記記憶媒体を保持していることを特徴とする液体収容容器。
【請求項８】
請求項５ないし７のうちのいずれかの項において、
前記保持部材は、前記筒部を挿入可能な第３開口を備えており、
前記保持部材にける前記第３開口の開口縁は、前記液体収容体と前記蓋体の間に位置して当該液体収容体および当該蓋体に係止される係止部となっており、
前記筒部の外周面には、雄ネジが形成されており、
前記蓋体は、前記雄ネジに螺合する雌ネジを備えており、
前記蓋体と前記筒部との螺合方向における前記係止部の厚さ寸法は、前記雄ネジのピッチよりも大きいことを特徴とする液体収容容器。
【請求項９】
請求項５ないし７のうちのいずれかの項において、
前記保持部材は、前記筒部を挿入可能な第３開口を備えており、
前記保持部材にける前記第３開口の開口縁は、前記液体収容体と前記蓋体の間に位置して当該液体収容体および当該蓋体に係止される係止部となっており、
前記筒部の外周面には、雄ネジが形成されており、
前記蓋体は、前記雄ネジに螺合する雌ネジを備えており、
前記蓋体と前記筒部との螺合方向における前記係止部の厚さ寸法は、前記雄ネジのピッチよりも小さいことを特徴とする液体収容容器。
【請求項１０】
請求項５ないし９のうちのいずれかの項において、
前記蓋体の雌ネジの全体を前記筒部の雄ネジに螺合させて当該蓋体を当該筒部に締め付けた状態で前記蓋体と前記段部の前記底面との間に形成される隙間の高さ寸法は、前記蓋体と前記筒部との螺合方向における前記係止部の厚さ寸法に対応していることを特徴とする液体収容容器。
【発明の詳細な説明】
【技術分野】
【０００１】
本発明は、インクなどの液体を収容する液体収容体と、液体収容体に収容した液体の属性などの電子データを担持した記憶媒体とを備える液体収容容器に関する。
【背景技術】
【０００２】
大型のポスターなどを印刷する印刷システムに用いられるインクは、大容量のインク容器に収容された状態で供給される。インク容器は、インクを収容するインク容器体と、色情報、容量、製造年月日などのインクの属性データを記録した記憶装置を備えている。記憶装置は、印刷システムによってインクの利用が開始される際に、印刷システムに読み出し可能に接続される。属性データは印刷システムに読み込まれて印刷制御やインクの残量管理に利用される。
【０００３】
インク容器は特許文献１に記載されている。同文献のインク容器はインク容器本体の上面に記憶媒体を保持する記憶媒体載置部を備えている。記憶媒体載置部には複数本のリブが並列に形成されており、記憶媒体はこれら複数本のリブの上面に載置されて接着固定されている。同文献では、複数本のリブ上に記憶媒体を接着固定することにより記憶媒体とインク容器本体の接着面積を低減させ、これにより、記憶媒体のインク容器本体からの取り外しを容易にしている。
【先行技術文献】
【特許文献】
【０００４】
【特許文献１】特許第４６３０５５１号公報
【発明の概要】
【発明が解決しようとする課題】
【０００５】
ここで、特許文献１のように、インク容器本体が記憶媒体を保持するための特別の形状を備える場合には、インク容器本体に市場に流通している一般的な液体収容体を用いることができないという問題がある。
【０００６】
本発明の課題は、上記の問題点に鑑みて、記憶媒体を保持する液体収容体に市販の液体容器体を用いることが可能な液体収容容器を提供することにある。
【課題を解決するための手段】
【０００７】
上記の課題を解決するために、本発明の液体収容容器は、液体を収容する液体収容体と、前記液体収容体に形成された第１開口に着脱される蓋体と、電子データを記憶可能な記憶媒体を保持する保持部材と、を有し、前記保持部材は、前記液体収容体と前記蓋体の間に一部分を位置させて当該液体収容体および当該蓋体に係止されていることを特徴とする。
【０００８】
本発明によれば、記憶媒体を液体収容体に直接保持させるのではなく、記憶媒体を保持部材に保持させ、この保持部材を液体収容体に係止している。従って、液体収容体に特別の形状を設けることなく、市販されている液体収容体に記憶媒体を支持させることができる。また、保持部材の液体収容体および蓋体への係止を、保持部材の一部分を液体収容体と蓋体の間に位置させることによって行っているので、蓋体を液体収容体から取り外せば液体収容体および蓋体から保持部材を容易に取り外すことができる。従って、記憶媒体の取り出しが容易である。
【０００９】
本発明において、前記保持部材は、前記記憶媒体を包む保持部を備え、前記保持部には、前記記憶媒体を外部から目視可能とする第２開口が形成されていることが望ましい。このようにすれば、保持部によって記憶媒体を保護することができる。また、保持部が第２開口を備えるので、保持部材に記憶媒体が保持されているか否かを確認することが容易となる。
【００１０】
この場合において、前記第２開口は、前記蓋体の側を向いていることが望ましい。このようにすれば、蓋体を着脱する際などに、保持部材に記憶媒体が保持されているか否かを容易に確認することできる。
【００１１】
本発明において、前記保持部は、前記液体収容体と前記蓋体の間に位置してないことが望ましい。このようにすれば、保持部材に保持されている記憶媒体が液体収容体と蓋体の間に挟まれて損傷してしまうことを回避できる。
【００１２】
本発明において、前記液体収容体は、上面の縁部分に下方に窪む段部を備えており、前記段部の底面には、中心孔が前記第１開口となっている筒部が設けられており、前記蓋体は、前記筒部に被せられて前記第１開口を閉状態とし、前記保持部材は、前記段部の内側に収納されていることが望ましい。ここで、上面の角などの縁部分に下方に窪む段部を備えており、この段部の底面に筒部が設けられている形状の液体収容体は市販されているので、このような液体収容体の調達は容易である。また、保持部材を段部の内側に収納すれば、すなわち、保持部材が段部から外側に突出しないようにすれば、液体収容容器の搬送時などに記憶媒体が損傷することを防止或いは抑制できる。さらに、保持部材を段部の内側に収納すれば、複数の液体収容容器を配列して積載する際などに、一つの液体収容容器に取り付けられた保持部材が他の液体収容容器と干渉することがなく、これらの作業が容易となる。
【００１３】
本発明において、前記保持部材は、前記段部の側面に当接して当該保持部材の前記筒部回りの回転を規制する規制部を備えていることが望ましい。このようにすれば、液体収容容器の搬送時などに、保持部材が筒部の回りを回転して液体収容体の側方に突出してしまうことを防止できるので、保持部材に保持されている記憶媒体が損傷することを防止できる。
【００１４】
本発明において、前記液体収容体は、前記上面の前記段部とは異なる位置に把持部を備え、前記保持部材は、前記把持部と前記第１開口とを結ぶ仮想線分および当該仮想線分を延長した仮想線から外れた位置に前記記憶媒体を保持していることが望ましい。このようにすれば、液体収容体内の液体を第１開口を介して流出させる際に、保持部材が液体収容体から取り外されていなかった場合でも、液体により記憶媒体が濡れることを防止或いは抑制できる。
【００１５】
この場合において、前記保持部材は、前記筒部を挿入可能な第３開口を備えており、前記保持部材にける前記第３開口の開口縁は、前記液体収容体と前記蓋体の間に位置して当該液体収容体および当該蓋体に係止される係止部となっており、前記筒部の外周面には、雄ネジが形成されており、前記蓋体は、前記雄ネジに螺合する雌ネジを備えており、前記蓋体と前記筒部との螺合方向における前記係止部の厚さ寸法は、前記雄ネジのピッチよりも大きいものとすることができる。このようにすれば、第３開口に筒部を挿入させることによって保持部材を液体収容体に係止させる際に、係止部が雄ネジに引っかかることを抑制できるので、保持部材の液体収容体への係止が容易となる。
【００１６】
この場合において、前記保持部材は、前記筒部を挿入可能な第３開口を備えており、前記保持部材にける前記第３開口の開口縁は、前記液体収容体と前記蓋体の間に位置して当該液体収容体および当該蓋体に係止される係止部となっており、前記筒部の外周面には、雄ネジが形成されており、前記蓋体は、前記雄ネジに螺合する雌ネジを備えており、
前記蓋体と前記筒部との螺合方向における前記係止部の厚さ寸法は、前記雄ネジのピッチよりも小さいものとすることができる。このようにすれば、第３開口に筒部を挿入させることによって保持部材を液体収容体に係止させた状態とした後に、係止部と雄ネジとが引っかかり易いので、保持部材の液体収容体からの落下が抑制される。
【００１７】
本発明において、前記蓋体の雌ネジの全体を前記筒部の雄ネジに螺合させて当該蓋体を当該筒部に締め付けた状態で前記蓋体と前記段部の前記底面との間に形成される隙間の高さ寸法は、前記蓋体と前記筒部との螺合方向における前記係止部の厚さ寸法に対応していることが望ましい。このようにすれば、蓋体を筒部に締め付けたときに蓋体と液体収容体との間に位置する保持部材の係止部に大きな負荷がかかることを防止できる。従って、係止部が損傷して保持部材が液体収容体から脱落してしまうことがない。
【発明の効果】
【００１８】
本発明によれば、市販されている液体収容体および蓋体を使用して記憶媒体を保持する液体収容容器を構成できる。また、本発明によれば、液体収容体からの記憶媒体の取り外しが容易である。
【図面の簡単な説明】
【００１９】
【図１】本発明を適用したインク収容容器の斜視図である。
【図２】インク収容容器の分解斜視図である。
【図３】記憶装置梱包体および記憶装置を搭載するホルダーの斜視図である。
【図４】保持部材の斜視図および展開図である。
【図５】記憶装置梱包体を保持部材へ保持させる保持手順の説明図である。
【発明を実施するための形態】
【００２０】
以下に、図面を参照して、本発明を適用したインク収容容器を説明する。
【００２１】
（全体構成）
図１は本発明を適用したインク収容容器の外観斜視図である。インク収容容器１（液体収容容器）１は大型のポスターなどを印刷する印刷システムに供給されるインクの貯留および搬送に用いられる。
【００２２】
インク収容容器１は、インクを収容するインク収容体（液体収容体）２、インク収容体２のインク出入口（第１開口）２ａを開閉する蓋体３、記憶装置５（記憶媒体）が梱包された記憶装置梱包体６、および、記憶装置梱包体６を保持する保持部材７を備えている。記憶装置５は、インク収容体２内のインクの色情報、容量、製造年月日などの属性データ（電子データ）を担持している。印刷システムによってインクの利用が開始される際には、記憶装置５は印刷システムに読み出し可能に接続される。また、記憶装置５から印刷システムに読み込まれた属性データは印刷制御やインクの残量管理に利用される。保持部材７は、インク収容体２と蓋体３の間に一部分を位置させて、これらインク収容体２および蓋体３に係止されている。
【００２３】
インク収容容器１は、全体として直方体形状をしており、複数のインク収容容器１を搬送する際などに、搬送パレット上に各インク収容容器１の側面同士を密着させて前後左右方向に配列することが可能である。また、複数のインク収容容器１を上下方向に積載することが可能である。
【００２４】
（インク収容体および蓋体）
図２はインク収容容器１の分解斜視図である。本例ではインク収容体２および蓋体３は市場に流通している一般的なものである。インク収容体２は、樹脂製であり、上面部１１と、上面部１１の外周縁から下方に延びる角筒状の胴部１２と、胴部１２の下端を封鎖している底面部１３を備えている。インク収容容器１を上方から見た平面形状は正方形形状をしており、４つの角部にはアールが施されている。
【００２５】
上面部１１の一つの角部の縁部分には、下方に窪む段部１５が形成されている。段部１５は、上方および側方から切り欠かれた状態で形成されており、外周側を向く側面１５ａと、上方を向く底面１５ｂを備えている。底面１５ｂには、上方に突出する円筒部（筒部）１６が設けられている。円筒部１６の中心孔はインク収容体２の内部に連通するインク出入口２ａとなっている。円筒部１６の外周面には雄ネジ１７が形成されている。雄ネジ１７のピッチはｐ１である。
【００２６】
また、上面部１１には、インク出入口２ａが形成された角部から対角線に沿って延びる棒状の把持部１８が設けられている。対角線を挟んだ把持部１８の両側には凹部１９、２０が形成されており、これら凹部１９、２０は把持部１８の下方で連通している。
【００２７】
ここで、インク収容体２は白色をしているが、インク収容体２にインクが収容された場合には、外観からインクの色相を判別することができる。例えば、インク収容体２にマゼンタのインクが収容されると、インク収容体２の外観が薄い赤紫色となり、これにより、インクの色相を判別できる。
【００２８】
蓋体３は、樹脂製であり、白色をしている。蓋体３は、円盤状の蓋板２１と、蓋板２１の外周縁から下方に延びる偏平な蓋側円筒部２２を備えている。蓋側円筒部２２の外周面には上下方向に延びるリブ２３が等角度間隔で複数形成されている。蓋側円筒部２２の内周面にはインク収容体２の円筒部１６の外周面に形成された雄ネジ１７と螺合可能な雌ネジ２４が形成されている。蓋体３の雌ネジ２４の全体をインク収容体２の円筒部１６の雄ネジ１７に螺合させて蓋体３をインク収容体２に締め付けた状態では、すなわち、インク出入口２ａを完全な閉状態とした状態では、蓋体３と段部１５の底面１５ｂの間に高さ寸法ｈ１の隙間（図１参照）が形成される。
【００２９】
（記憶装置梱包体）
図３（ａ）は記憶装置梱包体６の斜視図であり、図３（ｂ）は記憶装置５を搭載するホルダー３３の斜視図である。図３（ａ）に示すように、記憶装置梱包体６は、回路基板３１および回路基板３１に搭載されたメモリーＩＣ３２を備える記憶装置５をホルダー３３に搭載して半透明の収納袋３４に収納したものである。回路基板３１は緑色をしている。
【００３０】
ホルダー３３は、樹脂製であり、白色をしている。図３（ｂ）に示すように、ホルダー３３は、中央に記憶装置５が保持される保持凹部３５を有する長方形の底板３６と、底板３６の一方の短辺の縁に沿って延びる一定高さの第１側板３７と、第１側板３７の左右の端から底板３６の長辺の縁部に沿って延びる一定高さの一対の第２側板３８を備えている。第１側板３７および一対の第２側板３８は底板３６から連続して底板３６と直交する方向に延びている。一対の第２側板３８は底板３６の長辺の一方の端から長辺の途中まで延びている。保持凹部３５に保持された記憶装置５は、第１側板３７と一対の第２側板３８によって３方向から囲まれている。
【００３１】
収納袋３４は、ポリエチレン製であり、その色は青色である。収納袋３４を平坦な状態としたときの平面形状は矩形であり、その面積はインク出入口２ａの開口面積よりも広い。なお、収納袋３４として、静電対策が施されたフィルムから形成された可撓性の袋を用いてもよいことは勿論である。
【００３２】
（保持部材）
図４（ａ）および（ｂ）はそれぞれ保持部材７の斜視図および展開図である。図４（ａ）では保持部材７に記憶装置梱包体６を保持した状態を示している。図４（ａ）に示すように、保持部材７はインク収容体２の円筒部１６を挿入可能な円形開口４１ａを備える環状の係止部４１と、係止部４１から外周側に突出している保持部４２と、円形開口４１ａを挟んだ保持部４２とは反対側の位置で係止部４１から外周側に突出している回転規制部（規制部）４３を備えている。保持部４２および回転規制部４３を上方から見た平面形状は、それぞれ係止部４１から離れるのに従って先細りとなっている。保持部４２の先端は鋭角であり、回転規制部４３の先端は鈍角である。保持部４２は、記憶装置梱包体６を包み込んで保持している。保持部４２には窓（第２開口）４４が形成されている。窓４４からは保持部４２に保持されている記憶装置梱包体６を目視することができる。
【００３３】
保持部材７は、平坦なプラスチック製のダンボールを折り畳むことによって構成されている。図４（ｂ）に示すように、保持部材７は、記憶装置梱包体６を載置する載置部４５ａを備える第１板部４５と、折り畳まれることにより第１板部４５と重なり合う第２板部４６および第３板部４７と、第１板部４５と第２板部４６の間の折代となる第１連結板部４８、第１板部４５と第３板部４７の間の折代となる第２連結板部４９を備えている。保持部材７を展開した状態では、第１板部４５が中央に位置し、第１板部４５の一方側に第１連結板部４８と第２板部４６が位置し、他方側に第２連結板部４９と第３板部４７が位置している。
【００３４】
第１板部４５は、係止部４１を構成する係止板部分５１、保持部４２を構成する保持板部分５２および回転規制部４３を構成する回転規制板部分５３を備えている。より詳細には、第１板部４５は、環状の係止板部分５１と、係止板部分５１から外周側に突出した先細り形状の保持板部分５２と、係止板部分５１から保持板部分５２とは異なる方向に突出した先細り形状の回転規制板部分５３を備えている。保持板部分５２の両側には第１連結板部４８と第２連結板部４９が連続しており、これらの外側に、それぞれ第２板部４６と第３板部４７が連続している。
【００３５】
第２板部４６および第３板部４７も、それぞれ係止部４１を構成する係止板部分５１、保持部４２を構成する保持板部分５２および回転規制部４３を構成する回転規制板部分５３を備えている。第２板部４６および第３板部４７のそれぞれは、第１板部４５に折り重ねたときに、第１板部４５の外周輪郭と一致する外周輪郭を備えている。第２板部４６および第３板部４７を第１板部４５に折り重ねると、４５、４６、４７の係止板部分５１同士、保持板部分５２同士、回転規制板部分５３同士が、それぞれ互いに上下に重なる。
【００３６】
ここで、第１板部４５の係止板部分５１は、内周側に一定幅で突出する突出部５１ａを等角度間隔で４箇所に備えている。また、第２板部４６および第３板部４７は、それぞれの保持板部分５２に円形開口４４ａを備えている。円形開口４４ａは第２板部４６および第３板部４７を第１板部４５に折り重ねたときに、上下に重なる位置に配置されて保持部４２の窓４４を構成する。
【００３７】
（記憶装置のインク収容体および蓋体への係止）
図１、図２および図５を参照して、記憶装置梱包体６をインク収容体２および蓋体３に係止させて保持させる保持手順を説明する。図５は記憶装置梱包体６を保持部材７へ保持させる保持手順の説明図である。
【００３８】
記憶装置５をインク収容体２および蓋体３に保持させる際には、まず、記憶装置５をホルダー３３に搭載し、この状態で収納袋３４に収容して記憶装置梱包体６を構成する。そして、図５（ａ）に示すように、展開された状態の保持部材７の第１板部４５の載置部４５ａに記憶装置梱包体６を載置する。次に、図５（ｂ）に示すように、第２板部４６を第１板部４５に折り重ねる。その後に、第３板部４７を第１板部４５および第２板部４６に折り重ね、図５（ｃ）に示す状態として、記憶装置梱包体６を保持部４２に包み込む。これにより記憶装置５は保持部４２の内側に保護された状態となるので、記憶装置５の損傷を防止できる。
【００３９】
しかる後に、図２に示すように、保持部４２の窓４４が上方（蓋体３）の側を向く状態として保持部材７の円形開口４１ａにインクを収容したインク収容体２の円筒部１６を挿入する。
【００４０】
ここで、本例では、円筒部１６の雄ネジ１７のピッチｐ１は、蓋体３と円筒部１６の螺合方向（上下方向）における係止部４１の厚さ寸法ｔ１よりも小さい。従って、円形開口４１ａにインク収容体２の円筒部１６を挿入して保持部材７をインク収容体２に係止させる際に、係止部４１が雄ネジ１７に引っかかることが抑制され、保持部材７をインク収容体２へ係止させる挿入作業が容易となる。
【００４１】
その後に、保持部材７の底面（第１板部４５）を段部１５の底面１５ｂに当接させる。これにより、保持部材７は、図１に示すように、段部１５の内に収納された状態となる。より具体的には、保持部材７は、インク収容体２の胴部１２の側面１２ａを上方に延長した仮想面の内側であって、インク収容体２の上面２ｂを水平に延長した仮想面の下側に位置した状態となる。ここで、保持部材７が段部１５内に収納された状態となると、記憶装置５を保持している保持部４２は、把持部１８とインク出入口２ａを結ぶ仮想線分を延長した仮想線Ｌ（図２参照）から外れた位置に配置される。また、保持部材７が段部１５内に収納された状態となると、段部１５の側面１５ａと保持部４２から回転規制部４３に到る保持部材７の側面７ａが狭い間隔を開けて対峙するか、或いは、段部１５の側面１５ａと保持部材７の側面７ａの一部分が当接し、保持部材７の円筒部１６の回りの回転を規制した状態となる。
【００４２】
最後に、円筒部１６の上方から蓋体３を被せ、蓋体３と円筒部１６を螺合させて蓋体３をインク収容体２に締め付ける。これにより、保持部材７の係止部４１が蓋体３とインク収容体２の間に配置された状態となり、保持部材７がインク収容体２と蓋体３に係止される。すなわち、保持部材７がインク収容体２および蓋体３に保持された状態となる。
【００４３】
ここで、本例では、蓋体３の雌ネジ２４の全体を円筒部１６の雄ネジ１７に螺合させて蓋体３を円筒部１６に締め付けた状態で蓋体３と段部１５の底面１５ｂとの間に形成される隙間の高さ寸法ｈ１は、蓋体３と円筒部１６の螺合方向（上下方向）における係止部４１の厚さ寸法ｔ１に対応している。すなわち、蓋体３と段部１５の底面１５ｂとの間に形成される隙間の高さ寸法ｈ１と係止部４１の厚さ寸法ｔ１は、ほぼ等しい。従って、蓋体３を円筒部１６に締め付けたときに蓋体３とインク収容体２との間に位置する保持部材７の係止部４１に大きな負荷がかかることを防止できる。この結果、係止部４１が損傷することを抑制できるので、係止部４１の破損によりインク収容体２から脱落してしまうことを抑制できる。
【００４４】
（作用効果）
本例によれば、記憶装置５をインク収容体２に直接保持させるのではなく、記憶装置５を保持部材７に保持させ、この保持部材７をインク収容体２に係止している。従って、インク収容体２に特別の形状を設けることなく、市販されているインク収容体２に記憶装置５を支持させることができる。よって、インク収容体２の調達が容易であり、調達コストを抑制できる。
【００４５】
また、保持部材７のインク収容体２および蓋体３への係止を、保持部材７の一部分をインク収容体２と蓋体３の間に位置させることによって行っているので、蓋体３をインク収容体２から取り外せばインク収容体２および蓋体３から保持部材７を容易に取り外すことができる。従って、インク収容体２の記憶装置５の取り出しが容易である。
【００４６】
さらに、保持部材７の保持部４２に蓋体３の側を向いた窓４４が設けられているので、蓋体３を着脱する際などに、保持部材７に記憶装置５が保持されているか否かを容易に確認できる。これにより、記憶装置５の保持部材７への保持のし忘れを防止できる。また、記憶装置５の保持部材７からの取り外し忘れを防止できる。
【００４７】
また、本例では、保持部材７は、インク収容体２と蓋体３の間から外れた位置で記憶装置５を保持している。従って、保持部材７に保持されている記憶装置５がインク収容体２と蓋体３の間に挟まれて損傷してしまうことを回避できる。さらに、保持部材７は、把持部１８とインク出入口２ａを結ぶ仮想線Ｌから外れた位置に記憶装置５を保持しているので、インク収容体２内のインクをインク出入口２ａを介して流出させる際に保持部材７がインク収容体２から取り外されていなかった場合でも、インクにより記憶装置５が濡れることを防止或いは抑制できる。
【００４８】
さらに、本例では、保持部材７を段部１５の内側に収納し、保持部材７が段部１５から外側に突出していない。また、保持部材７が円筒部１６の回りを回転して、段部１５の外側に突出することが抑制されている。従って、インク収容容器１の搬送時などに記憶装置５が損傷することを防止或いは抑制できる。また、複数のインク収容容器１を配列して積載する際などに、一つのインク収容容器１に取り付けられた保持部材７が他のインク収容容器１と干渉することがなく、これら配列および積載の作業が容易である。
【００４９】
（変形例）
上記の例では、保持部材７の係止部４１の厚さ寸法ｔ１がインク収容体２の雄ネジ１７のピッチｐ１よりも大きいが、保持部材７の係止部４１の厚さ寸法ｔ１を雄ネジ１７のピッチｐ１よりも短くしてもよい。この場合には、保持部材７をインク収容体２に係止させた後に、係止部４１が雄ネジ１７に引っかかり易くなるので、保持部材７のインク収容体２からの脱落を抑制できる。
【００５０】
また、上記の例では、蓋体３と段部１５の底面１５ｂとの間に形成される隙間の高さ寸法ｈ１と係止部４１の厚さ寸法ｔ１をほぼ等しくしているが、この高さ寸法ｈ１を係止部４１の厚さ寸法ｔ１よりも短くしてもよい。この場合には、蓋体３とインク収容体２で保持部材７の係止部４１を押圧しながら挟持することができる。
【００５１】
なお、上記の例は、液体としてインクを収容する液体収容容器の例であるが、収容する液体はインクに限られるものではない。また、上記の例では、記憶装置は収容されている液体に関する属性データを担持しているが、記憶装置が担持する情報はかかる情報に限定されるものではない。また、記憶装置としては、メモリーカードなどを採用してもよい。
【符号の説明】
【００５２】
１・・インク収容容器（液体収容容器）、２・・インク収容体（液体収容体）、２ａ・・インク出入口（第１開口）、２ｂ・・インク収容体の上面、３・・蓋体、５・・記憶装置（記憶媒体）、６・・記憶装置梱包体、７・・保持部材、７ａ・・側面、１１・・上面部、１２・・胴部、１２ａ・・側面、１３・・底面部、１５・・段部、１５ａ・・側面、１５ｂ・・底面、１６・・円筒部（筒部）、１７・・雄ネジ、１８・・把持部、１９・２０・・凹部、２１・・蓋板、２２・・蓋側円筒部、２３・・リブ、２４・・雌ネジ、３１・・回路基板、３２・・メモリーＩＣ、３３・・ホルダー、３４・・収納袋、３５・・保持凹部、３６・・底板、３７・・第１側板、３８・・第２側板、４１・・係止部、４１ａ・・円形開口、４２・・保持部、４３・・回転規制部、４４ａ・・円形開口（第２開口）、４４・・窓（第２開口）、４５・・第１板部、４５ａ・・載置部、４６・・第２板部、４７・・第３板部、４８・・第１連結板部、４９・・第２連結板部、５１・・係止板部分、５１ａ・・突出部、５２・・保持板部分、５３・・回転規制板部分、ｈ１・・蓋体とインク収容容器の段部の底面の間の隙間の高さ寸法、Ｌ・・仮想線、ｐ１・・雄ネジのピッチ、ｔ１・・係止部の厚さ寸法ｔ１
【図１】
2014169115.tif 000003
【図２】
2014169115.tif 000004
【図３】
2014169115.tif 000005
【図４】
2014169115.tif 000006
【図５】
2014169115.tif 000007